(57)【要約】【課題】  伝送部材に起因する表示ムラを低減する。【解決手段】  （４ｍ＋ａ）本の信号配線を有する伝送部材４１１の延長領域４５１において、ｍ本の信号配線からなる第１部分群を構成する各信号配線と当該各信号配線が隣り合う信号配線との中心間距離Ｄｋの中位値ＤＭｅ１、及び、ｍ本の信号配線からなる第２部分群を構成する各信号配線と当該各信号配線が隣り合う信号配線Ｄｋとの中心間距離の中位値ＤＭｅ２が、（２ｍ＋ａ）本の信号配線からなる第３部分群を構成する信号配線のうち、互いに隣り合う信号配線同士の中心間距離Ｄｋの中位値ＤＭｅ３よりも小さい。【選択図】  図２
2012083561.tif 000002
【特許請求の範囲】
【請求項１】
複数の表示素子、及び、各々が前記複数の表示素子の各々と電気的に接続された複数の端子を有する表示パネルと、
前記複数の表示素子を駆動するための電気信号を出力する回路と、
各々が互いに離間して配置され、前記回路から前記複数の端子へ前記電気信号を伝送する複数の伝送部材と、を備える表示装置であって、
前記複数の伝送部材の各々は、各々が前記複数の端子の各々と前記回路とを接続し、前記電気信号を伝送する（４ｍ＋ａ）本の信号配線で構成された信号配線群と、前記信号配線群を支持する絶縁性基材とを有しており、前記複数の伝送部材の各々には、前記信号配線群を構成する前記（４ｍ＋ａ）本の信号配線の各々が同じ方向に延長し、かつ、互いに間隔をおいて配列された領域が設けられており、
前記領域において、前記信号配線群は、ｍ本の前記信号配線で構成される第１部分群と、ｍ本の前記信号配線で構成される第２部分群と、前記第１部分群と前記第２部分群との間に位置する（２ｍ＋ａ）本の前記信号配線で構成される第３部分群とからなり、
前記回路が、前記信号配線群を構成する前記（４ｍ＋ａ）本の信号配線の各々に、前記複数の表示素子を同じ輝度で駆動させるための前記電気信号を出力した際に、前記第１部分群及び前記第２部分群を構成する前記信号配線の各々に接続された前記複数の表示素子の輝度と、前記第３部分群を構成する前記信号配線に接続された前記複数の表示素子の輝度とが等しくなるように、
前記第１部分群の前記信号配線と当該信号配線に前記第２部分群側で隣り合う前記信号配線との中心間距離、及び、前記第２部分群の信号配線と当該信号配線に前記第１部分群側で隣り合う前記信号配線との中心間距離が、前記第３部分群を構成する信号配線のうち互いに隣り合う信号配線同士の中心間距離と異なっていることを特徴とする表示装置。
（ただし、ｍは２以上の任意の自然数、ａは０、１、２、３の何れかである。）
【請求項２】
複数の表示素子、及び、各々が前記複数の表示素子の各々と電気的に接続された複数の端子を有する表示パネルと、
前記複数の表示素子を駆動するための電気信号を出力する回路と、
各々が互いに離間して配置され、前記回路から前記複数の端子へ前記電気信号を伝送する複数の伝送部材と、を備える表示装置であって、
前記複数の伝送部材の各々は、各々が前記複数の端子の各々と前記回路とを接続し、前記電気信号を伝送する（４ｍ＋ａ）本の信号配線で構成された信号配線群と、前記信号配線群を支持する絶縁性基材とを有しており、前記複数の伝送部材の各々には、前記信号配線群を構成する前記（４ｍ＋ａ）本の信号配線の各々が同じ方向に延長し、かつ、互いに間隔をおいて配列された領域が設けられており、
前記領域において、前記信号配線群は、ｍ本の前記信号配線で構成される第１部分群と、ｍ本の前記信号配線で構成される第２部分群と、前記第１部分群と前記第２部分群との間に位置する（２ｍ＋ａ）本の前記信号配線で構成される第３部分群とからなり、
前記第１部分群の前記ｍ本の信号配線の各々と当該ｍ本の信号配線の各々に前記第２部分群側で隣り合う前記信号配線の各々との中心間距離の中位値、及び、前記第２部分群の前記信号配線の各々と当該信号配線の各々に前記第１部分群側で隣り合う前記信号配線の各々との中心間距離の中位値が、前記第３部分群の前記信号配線のうち互いに隣り合う前記信号配線同士の中心間距離の中位値よりも小さく、かつ、
前記信号配線群を構成する前記信号配線のうち互いに隣り合う信号配線同士の中心間距離の最大値が、前記信号配線群を構成する信号配線のうち互いに隣り合う信号配線同士の中心間距離の最小値の５０倍以下であることを特徴とする表示装置。
（ただし、ｍは２以上の任意の自然数、ａは０、１、２、３の何れかである。）
【請求項３】
前記信号配線群を構成する信号配線のうち互いに隣り合う信号配線同士の中心間距離の最大値が、前記信号配線群を構成する信号配線のうち互いに隣り合う信号配線同士の中心間距離の最小値の２倍以上１０倍以下であることを特徴とする請求項１または２に記載の表示装置。
【請求項４】
前記信号配線群を構成する信号配線のうち互いに隣り合う信号配線同士の中心間距離の最小値が、前記信号配線群を構成する信号配線のうち互いに隣り合う信号配線同士の中心間距離の平均値の０．１倍以上であることを特徴とする請求項１乃至３のいずれか１項に記載の表示装置。
【請求項５】
前記複数の伝送部材の各々の信号配線群のうち、互いに隣り合う信号配線群は、互いに隣り合う信号配線群の各々の両端に位置する信号配線同士の中心間距離の１／４以上離れて配置さていることを特徴とする請求項１乃至４のいずれか１項に記載の表示装置。
【請求項６】
前記第１部分群を構成する各信号配線と当該各信号配線に前記第２部分群側で隣り合う信号配線との中心間距離の最大値、及び、前記第２部分群を構成する各信号配線と当該各信号配線に前記１部分群側で隣り合う信号配線との中心間距離の最大値が、前記第３部分群を構成する信号配線のうち互いに隣り合う信号配線同士の中心間距離の最小値よりも小さいことを特徴とする請求項１乃至５のいずれか１項に記載の表示装置。
【請求項７】
前記回路は、前記信号配線群を構成する信号配線の各々に、前記信号配線群を構成する信号配線の各々に、同じ向きに電流を流すように構成されていることを特徴とする請求項１乃至６のいずれか１項に記載の表示装置。
【請求項８】
前記回路は、前記信号配線群を構成する信号配線の各々に、前記信号配線群を構成する信号配線の各々に、同時に電流を流すように構成されていることを特徴とする請求項１乃至７のいずれか１項に記載の表示装置。
【請求項９】
前記回路は、前記信号配線群を構成する信号配線の各々に、前記信号配線群を構成する信号配線の各々に、同時にかつ同じ向きに電流を流すように構成されており、
前記第３部分群に含まれる２本の信号配線の間に設けられ、前記端子には接続されず、かつ、前記信号配線群に流れる電流の前記向きとは逆の向きに電流が流れる接地配線と、
前記一辺と前記第１部分群の間及び前記他辺と前記第２部分群の間に設けられ、前記端子には接続されずに、前記信号配線群と同時に電気信号を伝送し、かつ、前記信号配線群の信号配線に流れる電流の前記向きと同じ向きに電流が流れるダミー配線と、
前記絶縁性基材を介して前記信号配線群と対向して設けられ、前記端子には接続されず、かつ、前記信号配線群に流れる電流の前記向きとは逆の向きに電流が流れる導電層と、
の少なくとも何れかを有していることを特徴とする請求項１乃至６のいずれか１項に記載の表示装置。
【請求項１０】
前記複数の表示素子はマトリックス配列されてマトリックス配線により前記端子に接続されており、前記複数の表示素子は、前記回路によって、線順次にマトリックス駆動されることを特徴とする請求項１乃至９のいずれか１項に記載の表示装置。
【請求項１１】
前記表示素子はカソードルミネッセンス素子であることを特徴とする請求項１乃至１０のいずれか１項に記載の表示装置。
【発明の詳細な説明】
【技術分野】
【０００１】
本発明は、表示装置に関し、特に表示装置が備える伝送部材に関する。
【背景技術】
【０００２】
表示装置には、表示面の大型化、高精細化、高画質化が要求されている。そのため、電気信号を伝送するための複数の信号配線が密集して設けられた伝送部材は、分布定数回路として振舞う傾向にある。その結果、分布定数回路特有のノイズが電気信号に重畳され、表示装置の表示品質（画質）に影響を与えることになる。
【０００３】
特許文献１には、配線材（伝送部材）に設けられた信号線（信号配線）のインダクタンス成分の影響のばらつきが、輝度ムラ（表示ムラ）を生じることが開示されている。
【先行技術文献】
【特許文献】
【０００４】
【特許文献１】特開２００７−２１９４９６号公報
【発明の概要】
【発明が解決しようとする課題】
【０００５】
本発明は、表示装置が備える伝送部材に起因する表示ムラを低減することを目的とする。
【課題を解決するための手段】
【０００６】
上記課題を解決するための本発明は、複数の表示素子、及び、各々が前記複数の表示素子の各々と電気的に接続された複数の端子を有する表示パネルと、前記複数の表示素子を駆動するための電気信号を出力する回路と、各々が互いに離間して配置され、前記回路から前記複数の端子へ前記電気信号を伝送する複数の伝送部材と、を備える表示装置であって、前記複数の伝送部材の各々は、各々が前記複数の端子の各々と前記回路とを接続し、前記電気信号を伝送する（４ｍ＋ａ）本の信号配線で構成された信号配線群と、前記信号配線群を支持する絶縁性基材とを有しており、前記複数の伝送部材の各々には、前記信号配線群を構成する前記（４ｍ＋ａ）本の信号配線の各々が同じ方向に延長し、かつ、互いに間隔をおいて配列された領域が設けられており、前記領域において、前記信号配線群は、ｍ本の前記信号配線で構成される第１部分群と、ｍ本の前記信号配線で構成される第２部分群と、前記第１部分群と前記第２部分群との間に位置する（２ｍ＋ａ）本の前記信号配線で構成される第３部分群とからなり、前記回路が、前記信号配線群を構成する前記（４ｍ＋ａ）本の信号配線の各々に、前記複数の表示素子を同じ輝度で駆動させるための前記電気信号を出力した際に、前記第１部分群及び前記第２部分群を構成する前記信号配線の各々に接続された前記複数の表示素子の輝度と、前記第３部分群を構成する前記信号配線に接続された前記複数の表示素子の輝度とが等しくなるように、前記第１部分群の前記信号配線と当該信号配線に前記第２部分群側で隣り合う前記信号配線との中心間距離、及び、前記第２部分群の信号配線と当該信号配線に前記第１部分群側で隣り合う前記信号配線との中心間距離が、前記第３部分群を構成する信号配線のうち互いに隣り合う信号配線同士の中心間距離と異なっていることを特徴とする。
（ただし、ｍは２以上の任意の自然数、ａは０、１、２、３の何れかである。）
【発明の効果】
【０００７】
本発明によれば、表示装置に生じる表示ムラを低減することができる。
【図面の簡単な説明】
【０００８】
【図１】表示装置の一例を説明する模式図。
【図２】表示装置の一例を説明する模式図。
【図３】表示装置の一例を説明する模式図。
【図４】実施形態１を説明する模式図。
【図５】実施形態２を説明する模式図。
【図６】実施形態３を説明する模式図。
【図７】実施形態４を説明する模式図。
【図８】実施形態５を説明する模式図。
【図９】実施形態６を説明する模式図。
【図１０】本発明を説明するための模式図。
【図１１】本発明を説明するための模式図。
【発明を実施するための形態】
【０００９】
まず、図１及び図２を用いて表示装置の一例を説明する。
【００１０】
図１（ａ）は表示装置１００の主要部を示すブロック図であり、図１（ｂ）は表示装置１００の主要部の一部の具体的な構成を示した模式図である。表示装置１００は、表示面１１に画像が表示される表示パネル１０と、表示パネル１０の表示面１１に画像を表示させるための駆動信号を出力する駆動回路５０と、を備えている。更に表示装置１００は、表示パネル１０と駆動回路５０との間で駆動信号を伝送する伝送部２０を備えている。
【００１１】
後で詳細に説明するが、図２（ａ）、（ｂ）に示すように、伝送部２０は，複数の伝送部材（３１１、４１１）を用いて、各々が８本以上の信号配線（３２１、４２１）で構成される複数の信号配線群で構成することができる。本発明では、各信号配線群を構成する信号配線のうち互いに隣り合う信号配線同士の中心間距離は一定ではない。そして、各信号配線群を構成する信号配線のうち互いに隣り合う信号配線同士の中心間距離は、伝送部２０に起因する表示ムラが低減されるように、所定の条件（後述）を満たす分布を持っている。
【００１２】
表示パネル１０は、図１（ｂ）で太線Ａ１で囲んだ領域である内部領域に表示手段５を備えている。内部領域は表示面１１の正射影の領域であり、図１（ｂ）では、表示面１１の一部を透視するように表示手段５を示している。典型的な表示パネル１０の内部領域は、表示手段５が固着された一対の基板の間の領域である。表示手段５は、複数の表示素子１と、複数の表示素子１と駆動回路５０とを電気的に接続するために内部領域に設けられた配線である内部配線２とで構成することができる。多数の表示素子１をマトリックス配列した場合、内部配線２は、複数（多数）の走査配線３と、走査配線３に交差する複数（多数）の変調配線４とからなるマトリックス配線で構成される。
【００１３】
図１（ｂ）に太線Ａ２で示した表示パネル１０の縁と太線Ａ１との間の領域である外部領域には、各々が内部配線２（走査配線３、変調配線４）と電気的に接続された、複数（多数）の外部端子１２（走査配線用端子１３、変調配線用端子１４）が設けられている。その結果、複数（多数）の外部端子１２の各々は内部配線２を介して複数（多数）の表示素子１と電気的に接続されている。図１（ｂ）の例では、走査配線３の配列方向であるＹ方向に、複数（多数）の走査配線用端子１３が配列されており、変調配線４の配列方向であるＸ方向に、複数（多数）の変調配線用端子１４が配列されている。なお、外部端子１２は内部配線２と一体であってもよいし、内部配線２とは別体の、内部配線２に接続された導電性部材であってもよい。
【００１４】
なお、上記では、表示素子１、内部配線２、外部端子１２を複数と表現したが、詳細には外部端子１２は、各々が８本以上の信号配線からなる複数の信号配線群に対応して１６個以上であり、表示素子１や内部配線２の数も外部端子１２の数に応じて定められる。典型的な表示パネル１０では、表示素子１の数は１万個以上であり、内部配線２や外部端子１２の数は百個以上である。
【００１５】
図１（ａ）に示すように、表示装置１００は、駆動回路５０に加えて、制御回路６０と画像処理回路７０と受信回路８０を備えることができる。受信回路８０は画像情報と文字情報の少なくとも一方を含む情報信号を受信し、画像処理回路７０は情報信号に基づいて、映像信号を制御回路６０に出力する。制御回路６０は、映像信号に基づいて駆動回路５０を制御するための制御信号を駆動回路５０に出力する。駆動回路５０は、図１（ｂ）に示すように、走査回路３０と変調回路４０とで構成することができる。走査回路３０は、制御回路６０から入力された制御信号に基づいて走査信号を出力し、変調回路４０は制御回路６０から入力された制御信号に基づいて変調信号を出力する。なお、制御信号は同期信号を含むことができ、同期信号によって走査信号と変調信号は同期が取られる。走査信号と変調信号とを併せて駆動信号と称する。駆動信号は表示素子１に入力されることによって、表示素子１を駆動する電気信号であり、アナログ信号である。走査回路３０、変調回路４０は電子回路であって、その機能の一部又は全ては、集積回路（ＩＣ）によって実現することができる。
【００１６】
表示装置１００の伝送部２０の伝送線路の抵抗成分による電圧降下およびそのばらつきが表示ムラにつながる。このような伝送線路の抵抗成分の影響は、表示パネル１０が大型になると顕著である。表示ムラを抑制するためには、伝送線路の延長距離はできるだけ短く、かつ、延長距離に極端なばらつきが生じないように配置することが望ましい。
【００１７】
そこで、図１（ａ）に示す伝送部２０の伝送線路の延長距離を短くするために、図１（ｂ）に示すように、複数の走査信号伝送部材３１１と、複数の変調信号伝送部材４１１とで構成することができる。
【００１８】
走査配線用端子１３には、複数の走査信号伝送部材３１１が電気的かつ機械的に接続されており、走査信号伝送部材３１１には走査回路３０が電気的に接続されている。走査信号は走査信号伝送部材３１１を介して走査配線用端子１３の各々に伝送される。変調配線用端子１４には、複数の変調信号伝送部材４１１が電気的かつ機械的に接続されており、変調信号伝送部材４１１には変調回路４０が電気的に接続されている。変調信号は変調信号伝送部材４１１を介して、変調配線用端子１４の各々に伝送される。
【００１９】
複数の走査信号伝送部材３１１は、互いに離間してＹ方向に並べて配置されており、複数の変調信号伝送部材４１１も、互いに離間してＸ方向に並べて配置されている。また、走査信号伝送部材３１１と変調信号伝送部材４１１も互いに離間して配置されている。図１（ｂ）では、伝送部２０を、２つの走査信号伝送部材３１１と、３つの変調信号伝送部材４１１とで構成した例を示したが、これに限定されるものではない。伝送部２０は、２つ以上の走査信号伝送部材３１１及び／又は２つ以上の変調信号伝送部材４１１で構成するが、少なくとも変調信号伝送部材４１１が２つ以上であることが好ましい。
【００２０】
また、伝送線路の延長距離を短くするために、図１（ｂ）に示すように、走査回路３０を、複数の走査ＩＣ３０１で構成することが好ましい。また、変調回路４０を複数の変調ＩＣ４０１で構成することが好ましい。図１（ｂ）では、複数の走査信号伝送部材３１１の各々に、各々が走査回路３０の一部を構成する走査ＩＣ３０１が接続されている。また、複数の変調信号伝送部材４１１の各々に、各々が変調回路４０の一部を構成する変調ＩＣ４０１が接続されている。
【００２１】
次に、伝送部２０について、図１（ｂ）の表示装置１００の一部の拡大図である図２（ａ）、（ｂ）を用いて詳細に説明する。図２（ａ）は図１（ｂ）で示した表示装置１００の、走査信号伝送部材３１１と変調信号伝送部材４１１とが隣り合う部分（図１（ｂ）の表示パネル１０の左下の部分）の拡大図である。図２（ｂ）は、図２（ａ）の延長領域４５１（後述）の拡大図である。以下、図１（ｂ）に示した３つの変調信号伝送部材４１１のうち、中央の１つの変調信号伝送部材４１１について主に説明するが、残りの他の変調信号伝送部材４１１についても、同様の構成を採用する。また、走査信号伝送部材３１１についても、同様の構成を採用してもよい。以下、簡潔のために、変調信号伝送部材４１１を単に伝送部材４１１と呼ぶこともある。
【００２２】
図２（ａ）、（ｂ）に示すように、変調信号伝送部材４１１は、ｎ本の信号配線４２１（ｎは８以上の自然数）と、信号配線４２１を支持する絶縁性基材４３１を有している。同様に、走査信号伝送部材３１１も、信号配線３２１と、絶縁性基材３３１を有している。
【００２３】
ｎ本の信号配線４２１の各々の一端は、ｎ個の変調配線用端子１４の各々と１対１に対応して接続されており、ｎ本の信号配線４２１の各々の他端は変調ＩＣ４０１（変調回路４０）に接続されている。その結果、変調信号伝送部材４１１の信号配線４２１の各々が変調回路４０と変調配線用端子１４とを電気的に接続している。そして、変調信号は信号配線４２１によって、変調配線用端子１４の各々に伝送される。
【００２４】
絶縁性基材４３１の材料は、ｎ本の信号配線４２１同士を絶縁しながら支持することができれば特に限定されない。伝送部材４１１は、実用的には可撓性を有することが好ましい。伝送部材４１１が可撓性を有する場合には、絶縁性機材４３１として、例えばポリイミド基板等を用いることができ、信号配線４２１として、線状の金属箔（例えば銅箔）を用いることができる。このような伝送部材４１１としては、典型的には、フレキシブルプリント配線板（ＦＰＣ：Ｆｌｅｘｉｂｌｅ  Ｐｒｉｎｔｅｄ  Ｃｉｒｃｕｉｔ）を用いることができる。フレキシブルフラットケーブル（ＦＦＣ：Ｆｌｅｘｉｂｌｅ  Ｆｌａｔ  Ｃａｂｌｅ）でも良い。図２（ａ）に示すように、変調ＩＣ４０１は、ＴＡＢ（Ｔａｐｅ  Ａｕｔｏｍａｔｅｄ  Ｂｏｎｄｉｎｇ）やＣＯＦ（Ｃｈｉｐ  Ｏｎ  Ｆｉｌｍ）などの実装方法により、絶縁性基材４３１上に配置することができる。変調ＩＣ４０１を絶縁性基材４３１とは別の基材上に配置しても良い。変調信号伝送部材４１１と変調配線用端子１４との接続方法は特に限定されないが、ＦＰＣを用いる場合には、異方性導電フィルム（ＡＣＦ：Ａｎｉｓｏｔｒｏｐｉｃ  Ｃｏｎｄｕｃｔｉｖｅ  Ｆｉｌｍ）を用いることができる。
【００２５】
図２（ａ）、（ｂ）において、配列方向の絶縁性基材４３１の端のうち、−Ｘ側に位置する辺を一辺４３１１と呼び、＋Ｘ側に位置する辺を他辺４３１２と呼ぶ。ここで、１つの絶縁性基材４３１が支持するｎ本の信号配線、つまり、絶縁性基材４３１の一辺４３１１と他辺４３１２との間に位置するｎ本の信号配線をまとめて信号配線群と呼ぶ。各々が、多数の外部端子１２の各々に接続された多数の信号配線（３２１、４２１）は、それぞれが、複数の走査信号伝送部材３１１、複数の変調信号伝送部材４１１の絶縁性基材（３３１、４３１）で支持された複数の信号配線群で構成されることになる。伝送部２０の複数の信号配線群の各々を構成する信号配線の数（ｎ≧８）は、信号配線群毎に任意に設定することができ、信号配線群毎に同じであっても良いし、異なっていても良い。
【００２６】
図２（ａ）に示すように、伝送部材４１１は、絶縁性基材４３１の一辺４３１１と他辺４３１２との間で、Ｙ方向において複数の領域に区分することができる。複数の領域とは、図２（ａ）に示す例では、第１接続領域４４１、延長領域４５１、第２接続領域４６１、実装領域４７１、連結領域４８１である。第１接続領域４４１は伝送部材４１１のうち、信号配線４２１と変調配線用端子１４とを接続する領域である。延長領域４５１は第１接続領域４４１と第２接続領域４６１との間の領域であり、伝送部材４１１の大部分は延長領域４５１で占められている。第２接続領域４６１は伝送部材４１１のうち、信号配線４２１と変調ＩＣ４０１とを接続する領域である。実装領域４７１は、変調ＩＣ４０１が配置されている領域であり、連結領域４８１は、伝送部材４１１を制御回路６０や電源回路などの他の電子回路・電気回路と電気的、機械的に連結される領域である。しかし、本発明の伝送部材４１１は、延長領域４５１に関するものであり、少なくとも第１接続領域４４１と延長領域４５１と第２接続領域４６１を有していれば実施することができる。そのため、延長領域４５１以外の領域、或いは不図示の領域については、伝送部材の形態に応じて適宜変形、省略、或いは追加することができる。
【００２７】
延長領域４５１では、信号配線群を構成するｎ本の信号配線４２１が同じ方向（Ｙ方向）に延長（延在）し、互いに間隔をおいて配列されている。つまり、延長領域４５１では、ｎ本の信号配線は互いに平行に配列されている。なお、ここでいう「平行」とは、互いに隣り合う信号配線同士が成す角度が１８０±１°であり、かつ、信号配線同士が交差しないことを意味する。平行に配列された複数の信号配線４２１が延長する方向（図２（ａ）、（ｂ）ではＹ方向）を延長方向と呼ぶ。複数の信号配線が並べられた方向（図２（ａ）、（ｂ）ではＸ方向）を配列方向と呼ぶ。配列方向は、延長方向に直交する方向である。
【００２８】
以下の説明では図２（ｂ）に示すように、信号配線群の信号配線４２１を、一辺４３１１側から他辺４３１２側に向かって、順に１本目、２本目・・・ｎ−１本目、ｎ本目（ｎは８以上の自然数）と呼ぶことにする。そして、信号配線群を構成するｎ本の信号配線４２１のうちの、任意の１本の信号配線をｋ本目の信号配線（ｋは１〜ｎの何れかの自然数）と呼ぶことにする。また、信号配線群を構成するｎ本の信号配線４２１のうちの、ｋ本目の信号配線以外の、任意の１本の信号配線をｊ本目の信号配線（ｊはｋとは異なる１〜ｎの何れかの自然数）と呼ぶことにする。また、信号配線群を構成するｎ本の信号配線４２１のうちの、中央の信号配線を、ｎが奇数の場合はｉ本目の信号配線（ｉ＝（ｎ＋１）／２）、ｎが偶数の場合はｉ本目と（ｉ＋１）本目の信号配線（ｉ＝ｎ／２）と呼ぶことにする。延長領域４５１の延長方向において、各信号配線４２１の長さはｌで表すことができる。ｋ本目とｊ本目の信号配線の中心間距離をｄ［ｋ，ｊ］で表す。なお、ｄ［ｋ，ｊ］は、ｋ本目とｊ本目の信号配線の間隔（配列方向での距離）をｇ［ｋ，ｊ］、ｋ本目の信号配線の幅（配列方向での長さ）をＷｋ、ｊ本目の信号配線の幅をＷｊとして、ｇ［ｋ，ｊ］＋（Ｗｊ＋Ｗｋ）／２で表される。ｄ［ｋ，ｊ］の中でも特に、ｄ［ｋ，ｋ＋１］をＤｋとする。ｄ［ｋ，ｋ＋１］は互いに隣り合う信号配線同士の中心間距離、つまり、ｋ本目の信号配線と、ｋ本目の信号配線の他辺４３１２側（＋Ｘ側）に隣り合う信号配線である、ｋ＋１本目の信号配線との中心間距離である。なお、信号配線群内で、ｎ本目の信号配線の他辺４３１２側に隣り合う信号配線は存在しないので、ｎ本の信号配線のＤｋについては、ｋ＝１〜ｎ−１である。ｎ本の信号配線の互いに隣り合う信号配線の平均中心間距離ＤＡｖは、ｄ［１，ｎ］／（ｎ−１）で表される。
【００２９】
図３（ａ）に駆動信号の一例を、図３（ｂ）に表示装置１００の等価回路を示す。図３（ａ）は、Ｙ方向に順に並んだ３本の走査配線（Ｒ１〜Ｒ３）に与えられる走査信号と、Ｘ方向に順に並んだ３本の変調配線（Ｃ１〜Ｃ３）に与えられる変調信号の一例を表している。走査信号としては、図３（ａ）に示すように、選択電位ＶＳと非選択電位ＶＮとからなり、選択電位ＶＳと非選択電位ＶＮが時系列的に切り替わるパルス電圧信号を用いることができる。走査回路３０は、走査信号伝送部材３１１及び走査配線用端子１３を介して、複数の走査配線３の一部（典型的には１本）に選択電位ＶＳを付与し、複数の走査配線３の残りに非選択電位ＶＮを付与する。選択電位ＶＳを付与する走査配線３を時系列的（期間Ｔ１，Ｔ２，Ｔ３毎）に順次切り換えることにより、選択電位ＶＳを付与する走査配線３を走査する。
【００３０】
変調信号としては、図３（ａ）の例に示すように、各々の表示素子１が表示するべき階調に応じて、黒表示電位ＶＢから白表示電位ＶＷまで範囲内の少なくとも何れかの電位を有する波形に変調したパルス電圧信号を用いることができる。変調の方法として、図３（ａ）にはパルス幅変調（ＰＷＭ）を示したが、パルス振幅変調（ＰＡＭ）やパルス幅変調とパルス振幅変調を組み合わせた変調（ＰＷＭ−ＰＡＭ）なども挙げられる。変調回路４０は、変調信号伝送部材４１１及び変調配線用端子１４を介して、複数の変調配線４の複数（典型的には全部）に同時に電圧パルスを付与する。走査回路３０が走査配線３に選択電位ＶＳを付与するタイミング（期間Ｔ１，Ｔ２，Ｔ３）に同期して、期間Ｔ１，Ｔ２，Ｔ３毎に変調回路４０が変調配線４にＶＢからＶＷの範囲の少なくとも何れかの電位を付与する。これにより、表示素子１を走査配線３毎に、線順次に駆動することができる。
【００３１】
図３（ｂ）では、表示パネル１０の２つの表示素子１と、その２つの表示素子１に電気的に接続された、変調信号伝送部材４１１の延長領域４５１の２本（ｋ本目とｊ本目）の信号配線４２１を示している。なお、図３（ｂ）において、図１（ａ）、（ｂ）、図２（ａ）、（ｂ）とは共通の部材には共通の符号をつけてある。上述したように、変調信号は電気信号であるために、伝送部材４１１が変調信号を伝送する際には、少なくとも信号配線の抵抗成分によって、必然的に伝送部材４１１の信号配線４２１に電流が流れる。走査信号についても同様である。図３（ｂ）に示す例では、変調信号伝送部材４１１には変調ＩＣ４０１から、表示パネル１０に向かって電流が流れ、走査信号伝送部材３１１には、表示パネル１０から走査ＩＣ３０１に向かって電流が流れる。なお、伝送部２０及び表示パネル１０に流れる電流の少なくとも一部は、走査ＩＣ３０１と変調ＩＣ４０１を共通に接続する、接地された導電性部材５０２に流れる。導電性部材５０２としては、例えば、表示パネル１０に設けられた電極や金属部品、回路基板のグランド層、表示パネル１０の支持部材、表示装置１００の筐体等を用いることができる。以下、信号配線群を構成する全ての信号配線には延長方向の同じ向き（−Ｙから＋Ｙの向き）に電流が流れるものとして説明する。
【００３２】
図３（ａ）に示したように、駆動信号（走査信号、変調信号）は、電位の変化（立ち上がりと立下り）を伴う電気信号（電圧パルス信号）である。そのため、電位の変化に伴って、駆動信号を伝送する信号配線４２１には必然的に時間的に変化する電流が流れる。ｊ本目の信号配線に流れる電流は磁界を生じ、その磁界の時間的な変化に伴ってｋ本目の信号配線に誘導起電力を生じる。そして、ｋ本目の信号配線に生じた誘導起電力は、ｋ本目の信号配線が伝送する駆動信号にノイズとして重畳される。ｊ本目の信号配線によってｋ本目の信号配線に生じる誘導起電力の大きさはｋ本目の信号配線４２１が、ｊ本目の信号配線から受ける相互インダクタンスに比例する。
【００３３】
相互インダクタンスについて、詳細に説明する。本発明では、絶縁性基材４３１の一辺４３１１からｋ本目の信号配線が、ｊ本目の信号配線から受ける相互インダクタンスを「個別相互インダクタンス」と呼び、Ｍ［ｋ，ｊ］で表す。Ｍ［ｋ，ｊ］は式（１）で表すことができる。
【００３４】
【数１】
2012083561.tif 000003
【００３５】
ここで、μ０は真空の透磁率である。信号配線同士の中心間距離ｄ［ｋ，ｊ］が小さいほどＭ［ｋ，ｊ］が高くなる特性がある。詳細には、信号配線同士の間隔ｇ［ｋ，ｊ］が小さいほどＭ［ｋ，ｊ］が高くなり、信号配線の幅Ｗｋが小さいほどＭ［ｋ，ｊ］が高くなる。
【００３６】
ｋ本目の信号配線が、残るその他の信号配線（ｋ本目を除く（ｎ−１）本の信号配線）の全体から受ける相互インダクタンス（本発明では、これを便宜的に「ｋ本目の信号配線」の「全体相互インダクタンス」と呼び、Ｍｋで表す）は、式（２）のようにＭ［ｋ，ｊ］の総和で表すことができる。
【００３７】
【数２】
2012083561.tif 000004
【００３８】
図１０（ａ）に、本発明を説明するための比較形態として、２４０本の信号配線４２１からなる信号配線群の互いに隣り合う信号配線同士の中心間距離が均一な、つまりＤｋ＝ＤＡｖである場合の相互インダクタンスの例を示す。図１０（ａ）は、Ｄｋが均一である場合の、ｊとＭ［ｋ，ｊ］、及び、ｋとＭｋの関係を表している。図１０（ａ）は、ｊ（下横軸）とＭ［ｋ，ｊ］（左縦軸）の関係として、ｋ＝１，４０，６０，８０，１２０の場合である、Ｍ［１，ｊ］，Ｍ［４０，ｊ］，Ｍ［６０，ｊ］，Ｍ［８０，ｊ］，Ｍ［１２０，ｊ］を示している。また、図１０（ａ）は、ｋ（上横軸）とＭｋ（右縦軸）の関係を示しており、ｋとＭｋの関係はＣで示した分布を持っている。
【００３９】
図１０（ａ）から理解されるように、Ｍ［ｋ，ｊ］はｋを中心にｊとｋとの差が大きくなるにしたがって単調減少する山型の分布形状を有する。そして、Ｍｋは、１２０本目と１２１本目を中心に、左右対称に単調減少する山型の分布形状を有する。そして、ｋ本目の信号配線には、ｋ本目以外の（ｎ−１）本の信号配線に流れる電流の変化によって、ｋ本目の信号配線のＭｋに比例した誘導起電力が生じる。以下、信号配線群の信号配線のうちのｋ本目以外の全ての信号配線に流れる電流の変化によってｋ本目の信号配線に生じる誘導起電力をＶｋで表す。そして、信号配線群のｎ本の信号配線に同時に同じ電流の変化が生じた場合には、Ｍｋの分布Ｃと同様のＶｋの分布が信号配線群に生じる。そのため、各信号配線群の中央の近傍の信号配線に電気的に接続された表示素子１の輝度が、各信号配線群の両端の近傍の信号配線に電気的に接続された表示素子１の輝度と異なるという現象が生じる。この現象は、表示装置１００の観察者（使用者）にとっては表示ムラ（輝度ムラ）として認識される。図１１（ａ）には、図１（ｂ）を用いて説明した表示パネル１０の表示面１１に、複数の変調信号伝送部材４１１の各々に対応して、表示面１１に周期的な明暗の表示ムラが生じる例を示している。ただし、図１１（ａ）に示す表示ムラは、表示素子１をマトリックス配列して、内部配線２をマトリックス配線とした場合の表示ムラである。表示素子１の特性や配列、内部配線２の配列によっては、図１１（ａ）とは異なる表示ムラが生じる場合もある。このような表示ムラは、同じ階調を示す変調信号を全ての変調配線用端子１４の各々へ向けて変調回路４０が出力した場合に顕著になる。一方、所望の画像を表示するために、互いに異なる階調を示す変調信号を各変調配線用端子１４に向けて変調回路４０が出力すると、顕著な表示ムラは視認されにくくなる。しかし、このような場合でも、表示ムラが潜在的に生じていることには変わりない。
【００４０】
図１０（ａ）に示したＭ［ｋ、ｊ］及びＭｋの分布を鋭意検討したところ、６０本目と６１本目の信号配線の間、及び１８０本目と１８１本目の信号配線の間を境界として、Ｍｋの分布傾向が大きく変わることが分かった。すなわち、６１本目より一辺４３１１に近い信号配線のＭｋ（ｋ＝１〜６０）は、Ｍｋの最高値であるＭ１２０とＭ１２１に比べて、極端に低くなる。同様に、１８０本目より他辺４３１２に近い信号配線のＭｋは、Ｍｋの最高値であるＭ１２０とＭ１２１に比べて、極端に低くなる。このような信号配線を簡潔に「Ｍｋが低くなる信号配線」と呼ぶことにする。一方、６０本目の信号配線と１８１本目の信号配線の間に位置する信号配線のＭｋは、Ｍｋが最高になる１２０本目と１２１本目の信号配線とあまり変わらない。そして、これらの信号配線のＭｋのばらつきは、信号配線群全体の全体のＭｋのばらつきに比べて小さい。このような信号配線を簡潔に「Ｍｋのばらつきが小さい信号配線」と呼ぶことにする。
【００４１】
このような境界は、図１０（ａ）に示した直線Ｂ以上の部分のみのＭ［ｋ，ｊ］に注目すれば理解が容易である。すなわち、Ｍ［ｋ，ｊ］が直線Ｂより低い信号配線を無視することによりＭｋの分布を近似する。ここで、直線Ｂは、１２０本目の信号配線が、６０〜１１９本目及び１２１〜１８０本目の１２０本の信号配線から受ける個別相互インダクタンスの最低値（Ｍ［１２０，６０］＝Ｍ［１２０，１８０］）を示している。なお、Ｍ［１２０，６０］＝Ｍ［１２０，１８０］＝Ｍ［１，６１］＝Ｍ［４０，１００］＝Ｍ［６１，１］＝Ｍ［６１，１２１］＝Ｍ［８０，２０］＝Ｍ［８０，１４０］＝Ｍ［１２０，６０］である。
【００４２】
式（２）より、Ｍｋは図１０（ａ）で示したＭ［ｋ，ｊ］の分布形状と、下横軸（Ｍ［ｋ、ｊ＝０］）で挟まれる領域の面積に置き換えて考えることができる。図１０（ａ）から理解されるように、Ｍ［ｋ，ｊ］の直線Ｂ以上の部分について、Ｍ［１，ｊ］、Ｍ［４０，ｊ］、Ｍ［６０，ｊ］の分布形状は左右非対称で、分布形状と下横軸とで挟まれる領域の面積はそれぞれ異なる。一方、Ｍ［ｋ，ｊ］の直線Ｂ以上の部分について、Ｍ［６１，ｊ］、Ｍ［８０，ｊ］、Ｍ［１２０，ｊ］の分布形状は左右対称で、分布形状と直線Ｂとで挟まれる領域の面積はそれぞれ同じになる。具体的には、直線Ｂ以上の部分で、Ｍ［１，ｊ］とＭ［６１、ｊ］とでは、Ｍ［６１，ｊ］の方が、Ｍ［６１，１］〜Ｍ［６１，６０］の分だけ多い。直線Ｂ以上の部分で、Ｍ［６０，ｊ］とＭ［６１、ｊ］とでは、Ｍ［６１，ｊ］の方が、Ｍ［６１，１］の分だけ多い。このように、Ｍ［ｋ，ｊ］の直線Ｂ以上の部分の分布形状と下横軸とで挟まれる領域の面積に対応するＭｋは、６０本目と６１本目の信号配線の間を境界として、６１≦ｋ≦１２０で一定であると近似することができる。Ｍｋの分布の対称性から、１２０≦ｋ≦１８０でも同様にＭｋは一定であると近似することができる。つまり、２４０本の信号配線において、６１≦ｋ≦１８０の１２０本の信号配線は、Ｍｋは一定であると近似することができる。
【００４３】
そこで、Ｄｋが一定である場合の信号配線群を、Ｍｋが低くなる複数の信号配線と、Ｍｋのばらつきが小さい複数の信号配線を次のように複数の部分群に区分することができる。すなわち、図１０（ｂ）のように、Ｍｋが低くなる複数の信号配線で構成される信号配線の部分群を第１部分群及び第２部分群とすることができる。そして、Ｍｋのばらつきが小さい信号配線で構成される信号配線の部分群を第３部分群とすることができる。
【００４４】
第１部分群は信号配線群の１本目の信号配線を含む部分群であり、第２部分群は信号配線群のｎ本目の信号配線を含む部分群である。第３部分群は、第１部分群と第２部分群の間に位置する部分群であり、信号配線群の中央の信号配線（ｎが奇数の場合はｉ本目、ｎが偶数の場合はｉ本目及び（ｉ＋１）本目の信号配線）を含む部分群である。説明を簡単にするために、第１部分群を構成する信号配線の本数をｒ、第２部分群を構成する信号配線の本数をｔ、第３部分群を構成する信号配線の本数をｓとする。第１部分群は、絶縁性基材４３１の一辺側から順に配列されたｒ本の信号配線、つまり１本目からｒ本目までの信号配線で構成される。第２部分群は、絶縁性基材４３１の他辺側から順に配列されたｔ本の信号配線、つまりｎ本目から（ｒ＋ｓ＋１）＝（ｎ−ｔ＋１）本目までの信号配線で構成される。第３部分群は、ｓ本（ｓ＝ｎ−ｒ−ｔ）の信号配線、つまり（ｒ＋１）本目から（ｒ＋ｓ）＝（ｎ−ｔ）本目までの信号配線で構成される。
【００４５】
２４０本の信号配線で構成される信号配線群では、Ｍｋのばらつきが小さい信号配線は、１２０本であり、２４０本の半数である。Ｍｋが低くなる信号配線は、この１２０本よりも、一辺４３１１側の６０本と、他辺４３１２側の６０本であった。このことは、信号配線群がｎ本の信号配線では、ｎが４の倍数の場合、Ｍｋのばらつきが小さい信号配線はｎ／２本であると一般化することができる。また、Ｍｋが低くなる信号配線は、上記ｎ／２本の一辺４３１１側のｎ／４本と他辺４３１２側のｎ／４本であると一般化することができる。この一般化は、図１０（ａ）におけるｋに対するＭ［ｋ，ｊ］の対称性に基づくものである。
【００４６】
そこで、ｒ、ｓ、ｔを、概ねｒ：ｓ：ｔ＝１：２：１となるように、つまり、第３部分群の信号配線が信号配線群の約半数となり、かつ部分群の区分けが信号配線群内で対称になるように定める。
【００４７】
より正確に第１〜３部分群を説明するために、信号配線群を構成する信号配線の数をｎ＝４ｍ＋ａとする。ここで、ｍは２以上の任意の自然数、ａは０、１、２、３の何れかである。これにより、ｎが４の倍数以外の場合にも第１〜３部分群を定めることができる。ｎ＝２４０の場合はｍ＝６０、ａ＝０であり、ｎ＝２４２の場合はｍ＝６０、ａ＝２である。そして、第１部分群を構成する信号配線はｒ＝ｍ本、第２部分群を構成する信号配線はｔ＝ｍ本、第３部分群を構成する信号配線はｓ＝（２ｍ＋ａ）本である。ｎ＝２４０の場合は、第１部分群は６０本、第２部分群は６０本、第３部分群は１２０本の信号配線で、それぞれ構成されることになる。なお、信号配線群のうちの第３部分群の信号配線の割合は最大でも、ｎ＝１１の場合の約６３．６％である。信号配線群の信号配線の数の実用的な範囲であるｎ≧４０（ｍ≧１０）では、第３部分群の信号配線の割合は５０％以上５３．５％以下となり、さらにｎが大きくなるにしたがって、第３部分群の信号配線の割合は５０％に収束する。このように、第３部分群の信号配線の本数は、信号配線群の信号配線の本数の半分とみなしても実用上問題ないといえる。
【００４８】
表１に、上記定義に従って決定される、信号配線群を構成する信号配線の本数（ｎ＝４ｍ＋ａ）の一例を挙げ、それに応じた各部分群を構成する信号配線の本数（ｒ、ｓ、ｔ）を示す。
【００４９】
【表１】
2012083561.tif 000005
【００５０】
以上ように、信号配線群の信号配線を３つの部分群に区分する。これによって、Ｍｋが低くなる複数の信号配線と、Ｍｋのばらつきが小さい信号配線とを好適に区別することができる。なお、信号配線群を構成する信号配線の数が多いほど、第１部分群及び第２部分群の信号配線のＭｋが低くなり、第３部分群の信号配線のＭｋのばらつきが小さくなる傾向が顕著になる。
【００５１】
上記のように、信号配線群を３つの部分群に区分した結果、各部分群について２値以上のＤｋを求めることができる。
【００５２】
本発明では、Ｍｋの分布に起因する表示ムラを低減するために、信号配線群の互いに隣り合う信号配線同士の中心間距離Ｄｋは均一でなく、不均一になっている。そこで、不均一なＤｋの分布を統計的な代表値（中位値、平均値、最小値、最大値）を用いて規定することができる。
【００５３】
信号配線群の代表値として、Ｄ１〜Ｄｎ−１の最大値ＤＭａｘと最小値ＤＭＩＮを規定することができる。ＤＭａｘはＤＡｖよりも大きく（ＤＭａｘ／ＤＡｖ＞１）、ＤＭＩＮはＤＡＶよりも小さい（ＤＭＩＮ／ＤＡｖ＜１）。
【００５４】
第１部分群を構成するｒ本の信号配線（１〜ｒ本目の信号配線）と、このｒ本の信号配線が他辺４３１２側で隣り合う信号配線（２〜（ｒ＋１）本目の信号配線）との中心間距離（Ｄｋ＝Ｄ１〜Ｄｒ）を求めることができる。「他辺４３１２側で隣り合う」とは、第２部分群側（及び第３部分群側）で隣り合うことと同じ意味である。例えば、ｒ本目の信号配線が隣り合う信号配線は、（ｒ−１）本目の信号配線と（ｒ＋１）本目の信号配線であるが、他辺４３１２側で隣り合う信号配線は、（ｒ−１）本目ではなく（ｒ＋１）本目の信号配線である。そして、第１部分群の代表値として、Ｄ１〜Ｄｒの中位値ＤＭｅ１、平均値ＤＡｖ１、最小値ＤＭｉｎ１、最大値ＤＭａｘ１を規定することができる。
【００５５】
第２部分群を構成するｔ本の信号配線（（ｎ−ｔ＋１）本目〜ｎ本目の信号配線）と当該各信号配線が一辺４３１１側で隣り合う信号配線（（ｎ−ｔ）〜（ｎ−１）本目の信号配線）との中心間距離（Ｄｋ＝Ｄｎ−ｔ〜Ｄｎ−１）を求めることができる。「一辺４３１１側で隣り合う」とは、第１部分群側（及び第３部分群側）で隣り合うことと同じ意味である。例えば、（ｎ−ｔ＋１）本目の信号配線が隣り合う信号配線は、（ｎ−ｔ）本目の信号配線と（ｎ−ｔ＋１）本目の信号配線であるが、一辺４３１１側で隣り合う信号配線は、（ｎ−ｔ＋１）本目ではなく（ｎ−ｔ）本目の信号配線である。そして、第２部分群の代表値として、Ｄｎ−ｔ〜Ｄｎ−１の中位値ＤＭｅ２、平均値ＤＡｖ２、最小値ＤＭｉｎ２、最大値ＤＭａｘ２を規定することができる。
【００５６】
第３部分群を構成するｓ本の信号配線（（ｒ＋１）〜（ｎ−ｔ）本目の信号配線）のうち、互いに隣り合う信号配線（（ｒ＋２）〜（ｎ−ｔ−１）本目の信号配線）同士の中心間距離（Ｄｋ＝Ｄｒ＋１〜Ｄｎ−ｔ−１）を求めることができる。例えば、第３部分群の（ｒ＋１）本目の信号配線が隣り合う信号配線は、ｒ本目の信号配線と（ｒ＋１）本目の信号配線であるが、このうち第３部分群の信号配線は、ｒ本目ではなく（ｒ＋１）本目の信号配線である。第３部分群の代表値として、Ｄｒ＋１〜Ｄｎ−ｔ−１の中位値ＤＭｅ３、平均値ＤＡｖ３、最小値ＤＭｉｎ３、最大値ＤＭａｘ３を規定することができる。「第３部分群を構成するｓ本の信号配線のうち互いに隣り合う」とは、第３部分群の代表値にＤｒとＤｎ−ｔを算入しないことを意味している。ＤｒとＤｎ−ｔは第１部分群と第２部分群の代表値に算入されており、重複を避けるためである。
【００５７】
なお、中位値とはメジアン、中央値、中間値とも言われる代表値であって、有限個のデータ（ここでは中心間距離Ｄｋ）を小さい方から順に並べた時に、データの分布の中央に位置するデータの値である。ただし、データ数が奇数ならば、中位値は（データ数＋１）／２番目のデータの値であり、データの数が偶数ならば、中位値は（データ数）／２番目のデータと１＋（データ数／２）番目のデータの算術平均である。
【００５８】
本発明では、Ｍｋの分布に起因する表示ムラを低減するために、信号配線群の互いに隣り合う信号配線同士の中心間距離Ｄｋは条件（Ａ）ＤＭｅ１＜ＤＭｅ３かつＤＭｅ２＜ＤＭｅ３を満たす分布を持っている。Ｄｋがこの条件を満たすことにより、第１部分群と第２部分群の信号配線のＭｋが第３部分群の信号配線のＭｋに比べて極端に低くなる現象を抑制することができる。そのため、信号配線群を構成する信号配線に生じるＭｋのばらつきを低減することができる。「Ｍｋのばらつきを低減する」とは、所定のＤＡｖの信号配線群についてＤｋの分布が上記条件（Ａ）を満たす場合に、ＤｋがＤＡｖで一定の場合よりも、Ｍｋの標準偏差が小さくなることを意味する。その結果、信号配線４２１に生じ得るＶｋのばらつきが低減されて、表示パネル１０に生じる表示ムラを低減（緩和）することができる。つまり、変調配線用端子１４に接続された信号配線の全てに同じ階調を示す変調信号を入力した場合に、表示パネル１０に生じる輝度のばらつきが、Ｄｋが一定の場合に比べて小さくなる。図１１（ｂ）には、変調信号伝送部材４１１の位置に対応して表示面１１に生じる周期的な明暗の表示ムラが、図１１（ａ）に比べて、低減されている例を示している。
【００５９】
信号配線同士の中心間距離Ｄｋは、ｋ本目の信号配線とｋ＋１本目の信号配線同士の間隔を小さくすることによって設定することができる。また、信号配線の幅Ｗｋ（太さ）にも分布を持たせることによってもＭｋを調整することもできる。しかしながら、信号配線の幅Ｗｋに分布があると、信号配線の抵抗成分に分布を生じてしまうため、信号配線群を構成する信号配線の幅Ｗｋは均一であることが望ましい。
【００６０】
更に中位値を用いて規定される条件（Ａ）に加えて、平均値に関しても、条件（Ｂ）ＤＡｖ１＜ＤＡｖ３かつＤＡｖ２＜ＤＡｖ３を満たすことが好ましい。各信号配線群の信号配線のうち、互いに隣り合う２本の信号配線のみの中心間距離を他の信号配線同士の中心間距離と僅かに異ならせただけでも、平均値ＤＡｖ１、ＤＡｖ２、ＤＡｖ３は変化し、Ｍ［ｋ，ｊ］は変化する。しかし、上述したようにＭｋはＭ［ｋ，ｊ］の総和で表される。そのため、信号配線群の信号配線が多くなると、信号配線群が条件（Ａ）を満たさずに条件（Ｂ）を満たしたとしても、Ｍｋの分布は殆ど変化しない。したがって、条件（Ａ）かつ条件（Ｂ）を満たすことが好ましい。
【００６１】
最小値、最大値に関しては、条件（Ａ）に加えて、条件（Ｃ）ＤＭｉｎ１＜ＤＭｉｎ３及びＤＭｉｎ２＜ＤＭｉｎ３を満たすことが好ましく、条件（Ｄ）ＤＭａｘ１＜ＤＭａｘ３及びＤＭａｘ２＜ＤＭａｘ３を満たすことも好ましい。さらに、条件（Ｅ）ＤＭａｘ１＜ＤＭｉｎ３及びＤＭａｘ２＜ＤＭｉｎ３を満たすことが好ましい。なお、条件（Ｅ）は、自ずと条件（Ａ）〜（Ｄ）を満たす。最小値、最大値に関しても、平均値と同様に、各信号配線群の信号配線のうち、互いに隣り合う２本の信号配線のみの中心間距離を他の信号配線同士の中心間距離と異ならせただけでも、最大値、最小値は変化し、Ｍ［ｋ，ｊ］は変化する。しかし、Ｍｋの分布はあまり変化しないため、条件（Ａ）かつ、条件（Ｃ）又は条件（Ｄ）又は条件（Ｅ）を満たすことが好ましい。条件（Ａ）かつ条件（Ｂ）かつ、条件（Ｃ）又は条件（Ｄ）又は条件（Ｅ）を満たすことも好ましい。
【００６２】
さらに、ＤＭｉｎ１＝Ｄ１＝ｄ［１，２］であること、ＤＭｉｎ２＝Ｄｎ−１＝ｄ［ｎ−１，ｎ］であることが好ましい。これは、信号配線群の中でもＭｋが特に低くなりやすい、１本目とｎ本目の信号配線のＭ１，Ｍｎを高くできるためである。また、ｎが奇数の場合にはＤＭａｘ３＝Ｄｉ、ｎが偶数の場合にはＤＭａｘ３＝Ｄｉ及び／又はＤｉ＋１であることも好ましい。これは、信号配線群の中でも全体相互インダクタンスが高くなりやすい、信号配線群の中央に位置する信号配線の全体相互インダクタンスＭｉ（及びＭｉ＋１）を低くできるためである。
【００６３】
信号配線群の中央に位置する信号配線から１本目の信号配線に向かってＤｋが広義単調減少することも好ましく、狭義単調減少することがより好ましい。また、信号配線群の中央に位置する信号配線からｎ本目の信号配線に向かってＤｋが広義単調減少することも好ましく、狭義単調減少することがより好ましい。中央に位置する信号配線から両側に向かって狭義単調減少することにより、条件（Ａ）〜（Ｅ）の全てを満たすことができる。図１０（ａ）で説明したように、Ｍｋの分布は中央から狭義単調減少する傾向にある。そのため、中心間距離の分布を中央から狭義単調減少させることで、より精度よくＭｋのばらつきを低減することができる。
【００６４】
また、延長領域４５１において、信号配線群の信号配線の、配列方向における配列は信号配線群の中央の信号配線に対して線対称であることが、内部領域全体に生じる表示ムラを視認しにくくなるため好ましい。完全な線対称でなくても、条件（Ａ）に加えて、ＤＭｅ１＝ＤＭｅ２、ＤＡｖ１＝ＤＡｖ２、ＤＭｉｎ１＝ＤＭｉｎ２の少なくとも何れかを満たすことが好ましい。
【００６５】
以上説明したように、少なくとも条件（Ａ）を満たすことにより、Ｍｋのばらつきを小さくし、表示ムラを低減することができる。しかしながら、例えば、第１、第２部分群のＤｋを極端に小さくし、第３部分群のＤｋを極端に大きくしていくと、第１部分群と第２部分群の信号配線のＭｋが第３部分群の信号配線のＭｋよりも極端に高くなってしまう場合がある。
【００６６】
なお、第１、第２部分群のＤｋと第３部分群のＤｋとの比の増大に対して、第３部分群のＭｋの変化は小さく、第１、第２部分群のＭｋだけが増加していく傾向にある。その結果、Ｄｋが一定の場合よりも、Ｍｋのばらつきが悪化（ばらつきが大きくなる）し、図１１（ａ）で示した表示ムラとは異なる（明暗が逆転したような）表示ムラが生じる場合がある。
【００６７】
そのため、Ｄｋは、第１部、第２部分群の信号配線に接続された複数の表示素子の輝度と、第３部分群の信号配線に接続された複数の表示素子１の輝度が等しくなるように設定される。つまり、Ｄｋ＝ＤＡｖの配列よりも、信号配線群を構成する信号配線に接続された複数の表示素子の輝度の標準偏差が小さくなる範囲内で設定される。しかし、Ｍｋのばらつきが悪化する条件は、信号配線の幅ＷｋやＤｋの分布の仕方、延長領域４５１の長さｌによっても異なる。そのため、Ｍｋのばらつきが悪化する条件は一義的に導かれるものではない。しかしながら、様々な設定を試行したところ、条件（Ｆ）１＜ＤＭａｘ／ＤＭｉｎ≦５０を満たせば、ＭｋのばらつきをＤｋが一定の場合よりも低減することができることが分かった。したがって、条件（Ａ）かつ条件（Ｆ）を満たすことが、表示ムラを低減する上で効果的である。さらに条件（Ｇ）２≦ＤＭａｘ／ＤＭｉｎ≦１０を満たすと、Ｍｋのばらつきを好適に低減することができる。ＤＭａｘを大きくしていくとＭｋの最大値は飽和する傾向にあり、実質的に、Ｍｋの分布はＤＭｉｎで決まるといえる。条件（Ｆ）を満たす時、典型的には１＞ＤＭｉｎ／ＤＡｖ≧０．０５である。しかし、ＤＭｉｎは信号配線の幅に制限されるため、実用的には条件（Ｈ）１＞ＤＭｉｎ／ＤＡｖ≧０．１とすることが好ましい。
【００６８】
なお、上記したＭｋに分布を生じる現象は走査信号伝送部材３１１にも生じ得る。しかし、走査信号による電流のうち、非選択電位ＶＮが付されている大部分の信号配線３２１に流れる電流は、選択電位ＶＳが付与されている一部の信号配線３２１に流れる電流に比べて非常に小さい。そのため、走査信号伝送部材３１１の信号配線３２１に生じるＶｋは小さい。そして、走査信号伝送部材３１１におけるＭｋの分布の影響、すなわち、Ｖｋのばらつきも、変調信号伝送部材４１１に比べて小さい。そのため、走査配線用端子１３の各々に接続された走査配線３毎の表示ムラは変調配線４毎の表示ムラに比べて小さい。したがって、走査信号伝送部材３１１に対しては本発明を適用することは必須ではなく、変調信号伝送部材４１１にのみ本発明を適用したとしても、十分に表示ムラを低減することができる。
【００６９】
ここまで、信号配線群を構成する信号配線４２１には全て同じ向きに電流が流れるとして説明してきた。典型的には、図１で説明したように走査回路３０、変調回路４０毎に別々の伝送部材（走査信号伝送部材３１１、変調信号伝送部材４１１）が用いられる。この場合には、通常、信号配線群を構成する全ての信号配線（３２１、４２１）には同じ方向に電流が流れるので、本発明による効果は顕著である。一方、例えば１つの伝送部材に走査回路３０と変調回路４０を接続することにより、信号配線群を構成する信号配線の一部に他の信号配線とは逆向きに電流が流れる構成も考えられる。そのような構成では、電流が生じる磁界は互いに打ち消しあうために、Ｖｋのばらつきは比較的小さくなり、表示ムラを低減することができる。
【００７０】
複数の変調信号伝送部材４１１は互いに離間して設けられることによって、互いに隣り合う変調信号伝送部材４１１同士の相互インダクタンスの影響を低減することができる。さらに、変調信号伝送部材４１１がその一辺４３１１側で互いに隣り合う変調信号伝送部材４１１の信号配線群同士の間隔を、変調信号伝送部材４１１のｄ［１，ｒ］以上とすることが好ましい。これにより、変調信号伝送部材４１１ａと同士の相互インダクタンスの影響を一層低減することができる。ｄ［１，ｒ］は、第１部分群の両端の信号配線（１本目とｒ本目）同士の中心間距離である。さらに、互いに隣り合う変調信号伝送部材４１１の信号配線群同士の間隔を、信号配線群の両端の信号配線の中心間距離ｄ［１，ｎ］の１／４以上とすることが好適である。互いに隣り合う変調信号伝送部材４１１のｄ［１，ｎ］が異なる場合には、何れか大きい方の値を採用する。互いに隣り合う変調信号伝送部材４１１の信号配線群同士の間隔を、ｄ［１，ｎ］／４以上とすることで、互いに隣り合う複数の変調信号伝送部材４１１の影響をほぼ無視することができる。
【００７１】
次に、本発明による効果がより顕著になる形態について説明する。
【００７２】
信号配線に流れる電流が大きいほど、また信号配線に流れる電流の変化量が大きいほど、Ｍｋ，Ｖｋのばらつきが顕著になる。表示素子１に流れる電流と表示素子１の輝度との相関関係が大きいほど。また駆動信号の電位と輝度との関係が大きいほど表示ムラが顕著になる。
【００７３】
本発明に適用できる表示素子１の一例としては、蛍光体と蛍光体に対向して電子線を照射する電子放出素子とを有するカソードルミネッセンス素子、有機発光層や半導体接合を用いたエレクトロルミネッセンス素子が挙げられる。また、蛍光体と蛍光体に光を照射するガス放電素子とを有するフォトルミネッセンス素子、液晶素子などを用いることもできる。また、これらの表示素子１は、内部配線２に、必要に応じてＴＦＴなどのアクティブ素子で構成したスイッチング素子を介して接続することができる。そして、アクティブマトリックス駆動により多数の表示素子１を駆動をすることができる。
【００７４】
上記した表示素子１の中でも、カソードルミネッセンス素子やエレクトロルミネッセンス素子は、所謂電流駆動タイプである。電流駆動タイプの表示素子は、一般的に、液晶素子などの電圧駆動タイプの表示素子に比べて信号配線に流れる電流が大きく、表示素子１に流れる電流と表示素子１の輝度との相関関係も大きい。したがって、表示素子１として、カソードルミネッセンス素子やエレクトロルミネッセンス素子を用いた表示装置１００に、本発明を適用すると効果的である。
【００７５】
また、変調信号としてＰＷＭ方式を用いると、信号配線に流れる電流の変化量が表示輝度によらずに一定になり得る。したがって、画像を表示すると、ＰＡＭ方式の変調信号にくらべて、信号配線に流れる電流の変化量が大きくなる場合が多い。したがって、変調回路４０がＰＷＭ方式の変調信号を出力する表示装置１００に、本発明を適用すると効果的である。
【００７６】
表示素子１がスイッチング素子を介さずにマトリックス配線（内部配線２）に接続される場合には、パッシブマトリックス駆動（単純マトリックス駆動）により多数の表示素子１が駆動される。パッシブマトリックス駆動では、走査信号の電位と変調信号の電位の電位差である駆動電圧に応じて表示素子１が駆動される。そのため、駆動信号（特に変調信号）の電位と輝度との関係が大きい。したがって、パッシブマトリックス駆動を行う表示装置１００に本発明を適用すると効果的である。
【００７７】
本発明の効果が特に顕著になる表示装置１００としては、表示素子１としてカソードルミネッセンス素子を用いた、電界放出型ディスプレイ（ＦＥＤ：Ｆｉｅｌｄ  Ｅｍｉｓｓｉｏｎ  Ｄｉｓｐｌａｙ）が挙げられる。電界放出型ディスプレイでは、電子放出素子の非線形特性によりパッシブマトリックス駆動を好適に行うことができる。そのため、パッシブマトリックス駆動の電界放出型ディスプレイに本発明を適用すると、顕著な効果が得られる。
【００７８】
次に、本発明の実施形態の一例を説明する。なお、便宜的にｎは偶数であるとして説明する。
【００７９】
（実施形態１）
図４（ａ）は、伝送部材４１１の延長領域４５１の拡大図である。延長領域４５１にはｎ本の信号配線が平行に配列されている。なお、比較のため、図１０に示した形態とは、ＤＡｖを同じにしてある。
【００８０】
図４（ｂ）は、図４（ａ）の信号配線の中心間距離Ｄｋの分布を示すグラフである。第１部分群を構成する１〜ｒ本目の信号配線と、その信号配線に隣り合う信号配線の中心間距離Ｄ１〜Ｄｒは一定である。第２部分群を構成する（ｎ−ｔ＋１）〜ｎ本目の信号配線と、その信号配線に隣り合う信号配線の中心間距離Ｄｎ−ｔ〜Ｄｎ−１は一定である。第３部分群を構成する（ｒ＋１）〜（ｎ−ｔ）本目の信号配線のうち、互いに隣り合う信号配線同士の中心間距離Ｄｒ＋１〜Ｄｎ−ｔ−１は一定である。
【００８１】
そして、Ｄ１〜Ｄｒ，Ｄｎ−ｔ〜Ｄｎ−１＜Ｄｒ＋１〜Ｄｎ−ｔ−１となっている。なお、ｎ本の信号配線の幅は均一である。したがって、上記の条件（Ａ），（Ｂ）を満たしており、さらに信号配線群の中央から広義単調減少しており、中央に対して線対称である。従って、ＤＭｅ１＝ＤＭｅ２＝ＤＭｉｎ，ＤＭｅ３＝ＤＭａｘである。図４（ｃ）には、図４（ａ）、（ｂ）で示した構成によって得られるＭｋの分布を実線Ｄで示している。なお、図４（ｃ）において、図９の形態によって得られるＭｋの分布を比較のために点線Ｃで示してある。図４（ｃ）からＭｋのばらつきが低減されており、その結果Ｖｋのばらつきも低減されることが理解される。一点鎖線Ｄ’は、実線Ｄの形態から、ＤＭｅ１及びＤＭｅ２と、ＤＭｅ３との差（ＤＭｉｎと、ＤＭａｘとの差）を更に大きくしたものである。一点鎖線Ｄ’では、Ｍｋの最大値と最小値との差が実線Ｄに比べて小さくなっており、実線Ｄに比べてＭｋのばらつきが低減されている。さらに、一点鎖線Ｄ’の形状、すなわちＭｋの分布の形状は、実線Ｄのような山型の形状ではなく、Ｍ字型になっている。このようにすることにより、表示ムラの周期を小さくすることができ、表示ムラを視認されにくくなる。二点鎖線Ｄ”は一点鎖線Ｄ’の形態からＤＭｅ１及びＤＭｅ２と、ＤＭｅ３との差（ＤＭｉｎと、ＤＭａｘとの差）を更に大きくしたものである。二点鎖線Ｄ”でもＭｋの分布の形状はＭ字型となっており、表示ムラは表示ムラを視認されにくくなる。しかし、二点鎖線Ｄ”では、Ｍｋの最大値と最小値との一点鎖線Ｄ’に比べて大きくなっている。さらにＤＭｉｎと、ＤＭａｘとの差を大きくしていくと、Ｍｋのばらつきが点線Ｃ（Ｄｋが一定の形態）よりも悪化する場合があるので、Ｄｋの分布は適切に設定する必要がある。
【００８２】
（実施形態２）
図５（ａ）は、伝送部材４１１の延長領域４５１の拡大図である。延長領域４５１にはｎ本の信号配線が平行に配列されている。なお、比較のため、図１０に示した形態とは、ＤＡｖを同じにしてある。
【００８３】
図５（ｂ）は、図５（ａ）の信号配線の中心間距離Ｄｋの分布を示すグラフである。Ｄｋの分布は、上に凸の２次関数となっている。そして、ＤＭａｘ３は中央に位置する信号配線（ｉ本目とｉ＋１本目の信号配線）同士の中心間距離Ｄｉであるため、ｋ＝ｉからｋ＝１に向かって、Ｄｋは狭義単調減少しており、ｋ＝ｉ＋１からｋ＝ｎ−１に向かって、Ｄｋは狭義単調減少している。そのため、条件（Ａ）〜（Ｅ）を全て満たしている。図５（ｃ）には、図５（ａ）、（ｂ）で示した構成によって得られるＭｋの分布を実線Ｅで示している。なお、図５（ｃ）において、図１０の形態によって得られるＭｋの分布を比較のために点線Ｃで示してある。図５（ｃ）からＭｋ及びＶｋのばらつきが低減されていることが理解される。その結果、表示ムラを低減することができる。実施形態１と同様に、ＤＭａｘとＤＭｉｎの差を極端に大きくすると、Ｍｋのばらつきが点線Ｃに比べて悪化する場合があるので、Ｄｋの分布は適切に設定する必要がある。
【００８４】
（実施形態３）
図６（ａ）、（ｂ）に示すように、伝送部材内で、信号配線群を２つ以上の層（例えば第１層と第２層の２層）に分けることができる。第１層と第２層との間には絶縁層が設けられている。図６（ａ）、（ｂ）では、実施形態２で説明したｎ本の信号配線からなる信号配線群のうち、奇数番目の信号配線を第１層に配置し、偶数番目の信号配線を第２層に配置した例を示している。第１層には、互いに間隔をおいて平面的に平行に配列されたｎ／２本の信号配線が配置されている。また、第２層には、互いに間隔をおいて平面的に平行に配列されたｎ／２本の信号配線が配置されている。このように、信号配線群を複数の層に配置することで、Ｍｋを低減することができると共に、互いに隣り合う信号配線同士の中心間距離をより適切に設定することができる。図６（ｃ）には、図６（ａ）、（ｂ）で示した構成によって得られるＭｋの分布を実線Ｆで示している。なお、図６（ｃ）において、実施形態２によって得られるＭｋの分布を比較のために点線Ｅで示してある。図６（ｃ）からＭｋ及びＶｋのばらつきが低減されていることが理解される。その結果、表示ムラを低減することができる。
【００８５】
（実施形態４）
信号配線でない配線であって、信号配線とは逆向きに電流が流れる配線を伝送部材４１１に設けることによって、信号配線群が電流の向きが異なる信号配線で構成される場合と、同様の効果を得ることができる。ここでいう信号配線でない配線とは、少なくとも表示素子１電気的に接続された外部端子１２に接続されていない配線である。図７（ａ）のように、信号配線群を構成する２本の信号配線間（ここではｉ本目と（ｉ＋１）本目の信号配線の間）に、接地配線５１２を設けることが好ましい。なお、図７（ａ）の信号配線４２１の配列は、実施形態２と同じである。この接地配線５１２は、図２（ｂ）を用いて説明した導電性部材５０２の一部であるため、信号配線４２１とは逆向きに電流が流れる。なお、図７（ａ）の信号配線４２１と接地配線５１２に重ねて示した矢印は、電流の向きを表している。その結果、Ｖｋの分布は、図７（ｂ）に実線Ｇで示すように、接地配線の位置のＶｋが小さくなった形状になる。なお、図７（ｂ）において、実施形態２によって得られるＭｋの分布を比較のために点線Ｅで示してある。図７（ｃ）からＭｋ及びＶｋのばらつきが低減されていることが理解される。その結果、表示ムラを低減することができる。さらに、輝度ムラの分布の周期は短くなり、表示ムラが視認されにくくなる。接地配線５１２は、伝送部材４１１の信号配線間の任意の位置に配置することができるが、少なくとも第３部分群に含まれる２本の信号配線の間に配置することが好ましく、信号配線群の中央に位置する信号配線間に配置することがより好ましい。また接地配線５１２を複数設けると、より効果的である。
【００８６】
（実施形態５）
図８（ａ）、（ｂ）に示すように絶縁性基材４３１の表面に、あるいは絶縁性基材４３１の表面から離れて、信号配線群と対向するように導電層５２２を設けることも好ましい。なお、図８（ａ）、（ｂ）の信号配線４２１の配列は、実施形態２と同じである。この導電層５２２は図２（ｂ）を用いて説明した導電性部材５０２の一部であるため、信号配線４２１とは逆向きに電流が流れる。なお、図８（ａ）は、信号配線群の各信号配線と導電層５２２との距離が一定である形態、図８（ｂ）は、第３部分群の信号配線と導電層５２２との距離が、第１部分群の信号配線及び第２部分群の信号配線と導電層５２２との距離よりも大きい形態である。その結果、図８（ａ）の形態では図８（ｃ）に実線Ｈで示すように、図８（ｂ）の形態では図８（ｃ）に実線Ｉで示すように、実施形態２の点線ＥよりもＶｋが低下する。したがって、表示ムラが視認されにくくなる。図８（ｂ）の形態では、図８（ａ）の形態よりも、Ｖｋのばらつきが小さくなるため、より表示ムラが低減される。
【００８７】
（実施形態６）
図９（ａ）で示すように、伝送部材４１１の絶縁性基材４３１の一辺と第１部分群との間、及び伝送部材４１１の絶縁性基材４３１の他辺と第２部分群との間にダミー配線５３２、５４２を設けると好ましい。なお、図９（ａ）の信号配線４２１の配列は、実施形態２と同じである。ダミー配線５３２、５４２は、外部端子１２には接続されておらず、代わりにそれぞれには負荷５５２、５６２が接続されており、変調ＩＣ４０１からダミー配線に変調信号が入力される。ダミー配線５３２、５４２が負荷５５２、５６２へ変調信号を伝送することにより、ダミー配線５３２、５４２には、信号配線４２１と同じ向きに電流が流れる。この電流によって信号配線群に生じるＭｋ及びＶｋの分布を、図９（ｂ）に実線Ｊで示す。なお、図９（ｂ）において、図４（ａ）、（ｂ）の形態によって得られるＭｋの分布を比較のために点線Ｅで示してある。ダミー配線５３２、５４２に流れる電流によりＶｋ自体は大きくなるが、信号配線群に生じるＭｋ及びＶｋのばらつきは小さくなる。なお、負荷５５２、５６２は、信号配線から表示パネル１０を見たときの負荷と略等しい（±１０％以内）ことが好ましい。すなわち、負荷５５２が１本目の信号配線が接続される変調配線４の抵抗値、および、当該変調配線と、その変調配線に接続された表示素子に接続された複数の走査配線との間の容量値と略等しい（±１０％以内）インピーダンス成分を有することが好ましい。負荷５６２も同様である。また、ダミー配線５３２、５３４には、そのダミー配線が隣り合う信号配線に入力される変調信号と同一の信号を同時に入力すると、Ｍｋが連続的に変化するので、輝度ムラはより軽減されるので好ましい。なお、ここでダミー配線が隣り合う信号配線とは、単一の伝送部材上の信号配線に限定されるものではない。例えば、図２に示すように、互いに隣り合う二つの変調信号伝送部材４１１、４１１の両方にダミー配線を設けることが好ましい。そしてこの場合、変調信号伝送部材４１１の他辺側に設けられたダミー配線には変調信号伝送部材４１１の１本目の信号配線に入力される変調信号と同じ変調信号を入力する。そして、伝送部材４１１の一辺側に設けられたダミー配線には伝送部材４１１のｎ本目の信号配線に入力される変調信号と同じ変調信号を入力する。このようにすれば、各信号配線群内のみだけでなく、信号配線群間の表示ムラを低減することができるので好ましい。
【００８８】
なお、実施形態４〜６の接地配線５１２、導電層５２２、ダミー配線５３２、５４２は、それぞれを、実施形態１〜３に例示されるような信号配線の中心間距離に分布を持たせた形態に対して、単独で適用しても良いし、組み合わせて適用しても良い。また、実施形態４〜６の接地配線５１２、導電層５２２、ダミー配線５３２、５４２は、図１０で説明した信号配線の中心間距離が一定である比較形態に対して適用しても、Ｖｋのばらつきを低減することができる。
【実施例】
【００８９】
１画素につき、ＲＧＢの３副画素をＸ方向（変調配線に直交する方向）に配列した、１９２０画素（Ｘ方向）×１０８０（Ｙ方向）画素のＨＤＴＶ規格のディスプレイを作製した。
【００９０】
対角１４５０ｍｍの長方形のガラス基板上に、走査配線３を１０８０本、変調配線４を互いに直交するように１９２０×３＝５７６０本設けた。走査配線３に対応するように走査配線用端子１３を１０８０個、変調配線４に対応するように変調配線用端子１４を５７６０個設けた。そして、走査配線３と変調配線４の交差部で、低電位電極（カソード）を走査配線３に、高電位電極（ゲート）を変調配線４に接続した約６２２万個の表面伝導型電子放出素子を形成した。このようにして、リアプレートを作製した。
【００９１】
次に、対角１４００ｍｍの長方形のガラス基板上に、約６２２万個の開口を備えるブラックマトリックスを形成したあとに、開口毎にＲＧＢそれぞれの色に発光する蛍光体を周期的に配置して、マトリックス状に配列された蛍光体層を形成した。各蛍光体層上にメタルバックを形成して、フェイスプレートを作製した。
【００９２】
フェイスプレートとリアプレートとを、真空チャンバー内で、各電子放出素子と各蛍光体層とが対向するようにスペーサを介して位置合わせして、フェイスプレートとリアプレートとの間隔が１．５ｍｍとなるように、枠部材を介して封着した。これにより、枠部材の内側（内部領域）に、約６２２万個のカソードルミネッセント素子がマトリックス状に配列された表示パネル（ＦＥＤパネル）を得た。
【００９３】
走査信号伝送部材３１１と変調信号伝送部材４１１として、いずれにもＦＰＣを用いた。走査信号伝送部材３１１の絶縁性基材３３１として厚み９３μｍ、幅５５ｍｍ、長さ３００ｍｍのポリイミド基板を用いた。走査信号伝送部材３１１の信号配線３２１として、厚み３５μｍ、幅３００μｍの銅箔を用いた。９０本の信号配線を、ポリイミド基板の表面から３８μｍ、裏面から２０μｍの位置に埋設した。また、走査信号伝送部材３１１には、９０本の信号配線の互いに隣り合う信号配線同士の中心間距離が、４５０μｍで均一になるように幅方向に平行に配列した延長領域を設けた。この延長領域の長さは２５０ｍｍとした。また、ポリイミド基板上に走査ＩＣ３０１を実装した。
【００９４】
変調信号伝送部材４１１の絶縁性基材４３１として厚み６６μｍ、幅４０ｍｍ、長さ２５０ｍｍのポリイミド基板を用いた。変調信号伝送部材４１１の信号配線４２１として、厚み８μｍ、幅８０μｍの銅箔を用いた。２４０本の信号配線４２１を、ポリイミド基板の表面から３８μｍ、裏面から２０μｍの位置に埋設した。また、変調信号伝送部材４１１には、２４０本の信号配線４２１の互いに隣り合う信号配線同士の中心間距離が、ポリイミド基板の両辺に近づくにつれて８２μｍから２０７μｍの範囲で２次関数的に単調減少するように平行に配列した延長領域を設けた。この延長領域の長さは２００ｍｍとした。また、ポリイミド基板上に変調ＩＣ４０１を実装した。
【００９５】
シミュレーションによって、変調信号伝送部材の２４０本の信号配線に生じるＭｋを算出したところＭｋの分布は、図５（ｃ）に点線Ｅで示したように、１２０本目から１本目に向かって、また、１２１本目から２４０本目に向かって狭義単調減少であった。
【００９６】
なお、比較用の変調信号伝送部材として、上記２４０本の信号配線を、信号配線の互いに隣り合う信号配線同士の中心間距離が１６５μｍで均一になるように幅方向に平行に配列した以外は同じものを用意した。この比較用の変調信号伝送部材の２４０本の信号配線に生じるＭｋ算出したところ、Ｍｋの分布は、図１０（ａ）に分布Ｃで示したように、１２０本目から１本目に向かって、また、１２１本目から２４０本目に向かって狭義単調減少であった。しかし、Ｍｋの標準偏差は、比較用の変調信号伝送部材のほうが大きかった。
【００９７】
次に、表示パネル１０の走査配線用端子１３に、１つあたり９０本の信号配線を有する上記走査信号伝送部材３１１をＡＣＦ（異方性導電フィルム）を用いて１２個接続した。また、表示パネル１０の変調配線用端子１４に１つあたり２４０本の信号配線を有する上記変調信号伝送部材４１１をＡＣＦを用いて２４個接続した。さらに、各走査信号伝送部材３１１及び各変調信号伝送部材４１１を、制御回路６０や画像処理回路７０を搭載した電気回路基板に連結した。
【００９８】
信号として非選択電位ＶＮ＝＋６Ｖ、選択電位ＶＳ＝−９Ｖ、パルス幅が７．７μｓ、周波数が約１２０Ｈｚの電圧パルス信号を、電圧パルスのタイミングをずらしながら各走査配線用端子１３に順次入力した。また、変調信号として黒表示電位ＶＢ＝Ｖ、白表示電位ＶＷ＝＋１０Ｖ、パルス幅が０〜６．９μｓ、周波数が約１５０ｋＨｚの電圧パルス信号（ＰＷＭ）を、走査信号のパルスに同期して全ての変調配線用端子１４に同時に入力した。メタルバックには１０ｋＶを付与した。これによって、１本の走査配線３に接続された５７６０個のカソードルミネッセンス素子を同時に発光させ、さらに、走査配線３毎に線順次に単純マトリックス駆動をし、毎秒１２０フレームでプログレッシブ表示を行った。このとき、変調信号伝送部材４１１の１本の信号配線４２１には、数ｍＡの電流が流れていた。
【００９９】
画面全体がピーク輝度（４８０ｃｄ／ｃｍ２）の０％階調（全黒表示）、２５％階調、５０％階調、７５％階調、１００％階調（全白表示）になるように、変調信号を調整して表示を行った。表示画面を観察したが、何れの階調でも表示ムラは殆ど確認できなかった。
【０１００】
比較のために、比較用の変調信号伝送部材を用いて同様に表示を行った。表示画面を観察したところ、２５％階調、５０％階調、７５％階調の表示を行った時に、図１１（ａ）に示したような縞状の表示ムラが確認された。
【符号の説明】
【０１０１】
１  表示パネル
１０  表示素子
１４  変調配線用端子
４０  変調回路
４１１  変調信号伝送部材
４２１  信号配線
４３１  絶縁性基材
４５１  延長領域
【図１】
2012083561.tif 000006
【図２】
2012083561.tif 000007
【図３】
2012083561.tif 000008
【図４】
2012083561.tif 000009
【図５】
2012083561.tif 000010
【図６】
2012083561.tif 000011
【図７】
2012083561.tif 000012
【図８】
2012083561.tif 000013
【図９】
2012083561.tif 000014
【図１０】
2012083561.tif 000015
【図１１】
2012083561.tif 000016